(57)【特許請求の範囲】
【請求項１】
端子を一次係止する可撓性の係止ランスを有するコネクタハウジングと、該端子と交差する方向から該コネクタハウジング内に挿入され、該端子を二次係止するスペーサとを備える二重係止コネクタにおいて、
前記係止ランスと前記スペーサとが前記端子の同一箇所を係止し、該係止ランスの係止突起と該スペーサの係止突部とが該端子の幅方向に並列に配置されたことを特徴とする二重係止コネクタ。
【請求項２】
前記同一箇所が前記端子の長手方向中間部における肩部であることを特徴とする請求項１記載の二重係止コネクタ。
【発明の詳細な説明】
【０００１】
【発明の属する技術分野】
本発明は、コネクタハウジングの係止ランスと、コネクタハウジングに装着するスペーサとで端子を二重に係止する二重係止コネクタに関し、端子の係止位置を同一化したものである。
【０００２】
【従来の技術】
図１１〜図１３は、実開平６−５８５７０号公報に記載された従来の二重係止コネクタを示すものである。
【０００３】
この二重係止コネクタ６０は、図１１の如く、合成樹脂製の雄型のコネクタハウジング６１と、コネクタハウジング６１の端子収容室６２（図１２）に後部開口６２ａから挿入される雌型の端子６４と、コネクタハウジング６１の下側の壁部６５の開口６６から端子挿入直交方向に挿入される端子係止用の合成樹脂製のスペーサ６７とで構成される。
【０００４】
コネクタハウジング６１にはスペーサ６７を挿入するための空間６８が形成されている。本例でコネクタハウジング６１には上下二段に端子収容室６２が配列され、各端子収容室６２は長手方向中間部にスペーサ挿入用の空間６８を介して前後に続いている。端子収容室６２の上側の壁部６９（図１２）には、端子６４を一次係止するための可撓性の係止ランス（係止アーム）７０が設けられ、係止ランス７０の先端側の係止突起７１が端子収容室６２内に臨んでいる。
【０００５】
端子６４は導電金属板から打抜き及び折曲げ加工を施して形成され、前半に箱状の電気接触部７１を有し、後半に電線圧着部７２を有している。電気接触部７１の上壁に、係止ランス７０の係止突起７１に対する矩形状の係合孔７３が設けられ、係合孔７３の両側にスタビライザ７４が切り起こされている。電気接触部７１の内側には接触用のばね片（図示せず）が設けられている。電線圧着部７２は前側の導体圧着片７２ａ（図１２）と後側の被覆圧着片７２ｂとで構成されている。
【０００６】
スペーサ６７は、開口６６を塞ぐ基板部７５と、基板部７５から立設された複数の隔壁７６と、隔壁７６の上端側を連結する基壁７７と、基壁７７に並列に設けられた端子二次係止用の係止突部７８と、基板部７５の両側に立設された係止壁７９とで構成されている。隔壁７６の間に端子収容室６２の一部８０が構成される。係止突部７８は端子６４の先端を摺接させる傾斜面７８ａを有している。係止壁７９はコネクタハウジング６１の係合部８１に対する可撓性の係止爪８２を有している。
【０００７】
図１２の如く、コネクタハウジング６１にスペーサ６７を仮係止した状態で、端子収容室６２に端子６４が挿入される。端子６４はスペーサ６７の係止突部７８を押し下げて仮係止状態にすると共に、係止ランス７０を押し上げて前進する。
【０００８】
図１３の如く、端子６４が完全に挿入された状態で、係止ランス７０が弾性的に復元して、係止突起７１が端子６４の係合孔７３に係合する。これにより端子６４が一次係止される。次いで矢印イの如くスペーサ６７を押し込むことにより、係止突部７８の前端が端子６４の電気接触部６２の後端（肩部）８３に接して対向して位置する。これにより電気接触部６２の後端８３が係止突部７８に当接し、端子６４が二次係止される。係止ランス７０とスペーサ６７とで端子６４が二重に係止され、端子６４の後抜けが確実に防止される。
【０００９】
コネクタハウジング６１内への端子６４の挿入が不完全である場合には、スペーサ６７を押し込んだ際に、係止突部７８が端子６４の電気接触部６２の後部側の下面８４（図１３）に突き当たり、それ以上スペーサ６７を押し込むことができず、作業者が端子６４の不完全挿入（半挿入）を検知することができる。
【００１０】
【発明が解決しようとする課題】
しかしながら、上記従来の構造にあっては、端子６４の出来具合（寸法のばらつき）によって係合孔７３の位置が前過ぎる場合には、端子６４の完全挿入時においてもスペーサ６７の係止突部７８の先端が端子６４の電気接触部６２の下面８４に当接して、スペーサ６７の完全挿入がなされず、作業者が端子６４の不完全挿入であると誤検知してしまうという懸念があった。
【００１１】
逆に、端子６４の係合孔７３の位置が後過ぎる場合には、端子６４の完全挿入後にスペーサ６７の係止突部７８が端子６４の電気接触部６２の後端（肩部）８３に係合して端子６４を二次係止するが、係止ランス７０の係止突起７１が端子６４の係合孔７３に係合せず、端子６４が一次係止されないという問題を生じる。この場合には、作業者が係止ランス７０の係止不良に気づかず、端子６４の係止力が弱いまま次工程に流れてしまうという危険を生じる。
【００１２】
また、端子６４の電気接触部６２の長さが長過ぎる場合には、端子６４の完全挿入時に係止ランス７０の係止突起７１が端子６４の係合孔７３に係合しても、スペーサ６７の係止突部７８が上記の如く端子６４の電気接触部６２に突き当たってしまう結果となる。この場合、端子６４は係止ランス７０で一次係止されているから、スペーサ６７を離脱して端子付きの電線８５（図１３）を引っ張っても端子６４は抜け出さず、係止ランス７０の係止を治具棒（図示せず）で解除し、端子６４を別の端子と交換する面倒な作業が必要となる。
【００１３】
本発明は、上記した点に鑑み、スペーサにより端子の不完全挿入を検知する際の誤検知を確実に防止できて、検知を正確に行うことができると共に、係止ランスとスペーサとによる端子の二重係止を確実に行うことのできる二重係止コネクタを提供することを目的とする。
【００１４】
【課題を解決するための手段】
上記目的を達成するために、本発明は、端子を一次係止する可撓性の係止ランスを有するコネクタハウジングと、該端子と交差する方向から該コネクタハウジング内に挿入され、該端子を二次係止するスペーサとを備える二重係止コネクタにおいて、前記係止ランスと前記スペーサとが前記端子の同一箇所を係止し、該係止ランスの係止突起と該スペーサの係止突部とが該端子の幅方向に並列に配置されたことを特徴とする（請求項１）。
前記同一箇所が前記端子の長手方向中間部における肩部であることも有効である（請求項２）。
【００１５】
【発明の実施の形態】
図１〜図２は、本発明に係る二重係止コネクタにおける端子の係止構造の概念（基本構造）を示すものである。
【００１６】
図１の如く、この二重係止コネクタ１は、合成樹脂製の雄型のコネクタハウジング２と、コネクタハウジング２の後部開口３ａから端子収容室３内に挿入される雌型の端子４と、コネクタハウジング２の上壁５から端子挿入直交方向に端子収容室３内に挿入される合成樹脂製のスペーサ６とで構成され、端子収容室３内の係止ランス７の係止突起８の前端の係止面８ａと、スペーサ６の板状の係止突部９の前端の係止面９ａとが同一面に位置するように、係止突起８と係止突部９とが並列に配置され、係止ランス７とスペーサ６とで端子４の同一箇所すなわち端子４の箱状の電気接触部１０の後端（肩部）１１を係止するようにしたことを特徴とするものである。
【００１７】
コネクタハウジング２は上壁５に、スペーサ６に対する挿入用の開口１２を有し、開口１２の後方において可撓性の係止ランス７の付根部１３が位置し、上壁５から係止ランス７が一体に突出形成されている。係止ランス７は真直部１４の前端側に下向きの係止突起８を有し、係止突起８の前方上側に延長部１５を有している。係止突起８と延長部１５とはほぼ直角に位置し、図２の如く端子４の箱状の電気接触部１０の後端（肩部）１１に係合する。
【００１８】
係止ランス７は端子４に対して幅方向の一側寄りに偏心して配置されており、本例で係止突起８は電気接触部１０の左半部を係止する。スペーサ６の押し込み状態で係止ランス７の右側にスペーサ６の係止突部９が隣接して位置し、係止突部９が電気接触部１０の右半部を係止する。前述の如く係止突部９の前端の係止面９ａと係止突起８の係止面８ａ（図１）とが上下方向（端子挿入直交方向）の同一面に位置して、係止突起８と係止突部９とで電気接触部１０の後端１１をそれぞれ係止する。スペーサ７としては係止突部９のみ図示しているが、実際には後述の如く複数の端子４に対する複数の係止突部９を基板部（図示せず）から突出させている。
【００１９】
本例の端子４は前半に電気接触部１０を有し、後半に電線圧着部１６（図１）を有するものであり、電気接触部１０内に、相手側（雌型）のコネクタ内の雄端子（図示せず）に対する接触用のばね片１７（図２）を有している。電気接触部１０には従来のような係合孔を設ける必要がなく、構造が簡素化・低コスト化されている。
【００２０】
図１において係止ランス７の上部には撓み空間１８が設けられ、撓み空間１８に続いてスペーサ挿入用の開口１２が設けられている。開口１２の前端面１２ａは係止ランス７の係止突起８の係止面８ａと同一面に位置する。開口１２の前端面１２ａに沿ってスペーサ６の係止突部９が挿入される。開口１２の前端面１２ａの真下に完全挿入時の端子４の電気接触部１０の後端１１が位置する。端子４の先端はコネクタハウジング２の前端壁１９に突き当たって停止し、その状態で係止ランス７で一次係止される。
【００２１】
前端壁１９に相手側の雄端子（図示せず）に対する挿入孔２０が設けられ、端子４の電気接触部１０の前端が挿入孔２０に対向して位置する。スペーサ６の完全挿入時に係止突部９の前端９ａが端子４の電気接触部１０の後端１１に接して（前端９ａが後端１１の後側に位置して）端子４を二次係止する。
【００２２】
図２の如く端子４の箱状の電気接触部１０の後端１１を係止ランス７とスペーサ６とで二重係止する構造としたことで、従来の端子の係合孔（図１１）が不要となり、係合孔の位置ずれに起因する端子の位置ずれが起こらず、係止ランス７とスペーサ６とによる二重係止が確実に行われる。そして、端子４の完全挿入時にスペーサ６が電気接触部１０に突き当たることなく確実に挿入されるから、誤検知が確実に防止され、端子４の不完全挿入時にはスペーサ６が電気接触部１０に突き当たって端子４の不完全挿入を確実に検知する。また、係合孔を設けなくてよいから、電気接触部１０の構造が簡素化し、端子の製造が容易化する。
【００２３】
また、電気接触部１０の長さが長すぎる場合には、係止ランス７の係止突起８とスペーサ６の係止突部９とが共に電気接触部１０の後端１１に係合できず（後端１１の後側に位置できず）、スペーサ６の係止突部９の先端９ｂが電気接触部１０の上面２１に突き当たるから、端子４の不完全挿入ではないが、端子４の係止異常を確実に検知でき、作業者が端子付きの電線２２（図１）を引っ張ることで端子４が容易に抜き出され、端子４が一次係止されていないことを容易に検知できる。
【００２４】
図３〜図１０は、本発明に係る二重係止コネクタの一実施形態の詳細構造を示すものである。コネクタハウジング２５の係止ランス２６とスペーサ２７とで端子２８の電気接触部２９の後端（肩部）３０を二重係止することは図１〜図２の実施形態と同様である。本実施形態の二重係止コネクタ２４は、上下二段に配置された端子２９（上側の端子のみを図示している）をスペーサ２９の各係止突部３１1 ，３１2 と各係止ランス２６1 ，２６2 とで係止するものである。
【００２５】
図３の如く、コネクタハウジング２５は上下二段に端子収容室３２1 ，３２2 を有し、上下の端子収容室３２1 ，３２2 における各係止ランス２６1 ，２６2 は前後に位相ずれして配設されている。下側の係止ランス２６2 は上側の係止ランス２６1 よりも前方に位置している。上側の端子収容室３２1 に電気接触部２９の長い端子２８が収容され、下側の端子収容室３２2 に電気接触部２９の短い端子（図示せず）が収容される。
【００２６】
上側の係止ランス２６1 はコネクタハウジング２５の中間の水平な隔壁３３からやや斜め上向きに突設され、下側の係止ランス２６2 は下壁３４から同様に突設されている。下側の係止ランス２６2 の撓み空間３５側において下壁３４にスペーサ挿入用の開口３６が形成され、開口３６に対向して中間の隔壁３３に係止突部３１1 を挿入するための開口３７が形成されている。
【００２７】
スペーサ２７は押圧操作用の基板部３８と、基板部３８から垂直に立設された平板状の二種類の幅の係止突部３１1 ，３１2 とを備えている。下側の端子収容室３２2 に進入する係止突部３１2 は前後に幅広に形成され、上側の端子収容室３２1 に進入する係止突部３１1 は前後に幅狭に形成されている。下側の係止突部３１2 の前端面３１ａ2 は下側の係止ランス２６2 の係止突起３９2 の前端面３９ａ2 と開口３６の前端面３６ａと同一面に位置し、上側の係止突部３１1 の前端面３１ａ1 は上側の係止ランス２６1 の係止突起３９1 の前端面３９ａ1 と同一面に位置し、各係止突部３１1 ，３１2 の後端面は同一面に位置している。
【００２８】
上側の係止突部３１1 と下側の係止突部３１2 とは例えば左右に並列に基板部３８に立設され、左右に位相ずれした上下の端子収容室３２1 ，３２2 に対応する。あるいは上側の幅狭な係止突部３１1 と下側の幅広な係止突部３１2 とを一体に形成し、上側と下側の各係止突部３１1 ，３１2 の主要部４０（端子２９を係止する部分）のみを図８の如く厚肉に形成し、主要部４０から下に向かう部分を薄肉に形成して、薄肉部４１の真横を下側の端子が干渉せずに進退する構造とすることも可能である。
【００２９】
図３においてスペーサ２７は仮係止された状態（図６参照）となっており、完全には挿入されていない。この状態で各端子２８が端子収容室３２1 ，３２2 内に挿入される。スペーサ２７の係止突部３１1 ，３１2 は各端子２８の電気接触部２９の下側に位置している。端子２８の挿入に伴って係止ランス２６1 ，２６2 は下側に撓み、端子２８の完全挿入と同時に復元して、各端子２８の電気接触部２９の後端３０に係止ランス２６1 ，２６2 の係止突起３９1 ，３９2 の前端３９ａ1 ，３９ａ2 が当接して、各端子２８が一次係止される。コネクタハウジング２５の前端には図示しないフロントホルダ（前端壁）が装着されて、電気接触部２９の前端が当接停止される。
【００３０】
図４（横断面図），図５（要部正面図）の如く、コネクタハウジング２５の端子収容室３２1 内において幅方向に係止ランス２６1 とスペーサ２７（図３）の係止突部３１1 とが左右並列に且つ平行に位置している。係止ランス２６1 は端子２８（図３）の右半部側に位置し、スペーサ２７の係止突部３１1 は端子２８の左半部側に位置する。正確には図５の如く係止ランス２６1 は端子２８の電気接触部２９の中心線を越えて位置し、係止突部３１1 は電気接触部２９の一側面２９ａの真下に位置している。係止突部３１1 の幅は係止ランス２６1 の幅よりもやや狭く設定されている。
【００３１】
図６の如く、スペーサ２７は、基板部３８の両側に立設された一対の係止壁４３を有し、各係止壁４３の後端部に上側の仮係止突起４４と下側の本係止突起４５とを有している。仮係止突起４４はアーム４６の先端に形成され、コネクタハウジング２５の仮係合突起４７に乗り越して係合している。本係止突起４５は可撓壁４８の中央に形成され、コネクタハウジング２５の本係合突起４９の下面に接している。この状態でスペーサ２７がコネクタハウジング２５に仮係止されている。
【００３２】
スペーサ２７を上向きに押圧することで、図７〜図９の如くスペーサ２７が本係止され、それと同時に端子２８がスペーサ２７の係止突部３１1 ，３１2 で二次係止される。図７の如く、係止突部３１1 ，３１2 の先端側の前端３１ａ1 ，３１ａ2 が各端子２８（上側の端子のみ図示している）の電気接触部２９の後端３０に接して位置する。図８の如く、係止突部３１1 は係止ランス２６1 の側方で上昇して、端子２８の電気接触部２９の後端３０に係合する。図９の如く、スペーサ２７の仮係止突起４４はコネクタハウジング２５の仮係合突起４７の上方に離間し、本係止突起４５が仮係合突起４９を乗り越えて、仮係合突起４９の上側に係合する。
【００３３】
図１０にコネクタハウジング２５の平面図を示す如く、コネクタハウジング２５の下壁３４にスペーサ２７（図５）の基板部３８と両側の係止壁４３（図６）を挿入するための開口３６，５０，５１が設けられ、下側の各係止ランス２６2 の横に隣接してスペーサ２７の係止突部３１2 （図５）を挿入するためのスリット状の孔５２が設けられている。孔５２の位置は係止ランス２６2 の右側又は左側に隣接して設定されている。
【００３４】
開口３６の中央部分は幅広に形成され（開口５０）、両側の開口５１はそれ以上に幅広に形成されている。係止壁４３（図６）が幅広に形成されたことで、スペーサ挿入時の姿勢の安定性が確保されている。また、開口３６から係止ランス２６2 の状態が目視できるから、端子２８の一次係止の状態を目視確認することができる。
【００３５】
上記実施形態によれば、係止ランス２６1 ，２６2 とスペーサ２７の係止突部３１1 ，３１2 とをコネクタハウジング２５の中間部に横並びに配置し、端子２８の同一箇所である電気接触部２９の後端３０を二重係止することとしたから、前記実施形態と同様に、従来の端子の係合孔が不要となり、係合孔の位置ずれに起因する端子の位置ずれが起こらず、係止ランス２６1 ，２６2 とスペーサ２７とによる二重係止が確実に行われる。そして、端子２８の完全挿入時にスペーサ２７が電気接触部２９に突き当たることなく確実に挿入されるから、誤検知が確実に防止され、端子２８の不完全挿入時にはスペーサ２７が電気接触部２９に突き当たって端子２８の不完全挿入を確実に検知する。
【００３６】
また、係止ランス２６1 ，２６2 とスペーサ２７の係止突部３１1 ，３１2 とをコネクタハウジング２５の前後にではなく中間部において横並びに配置することで、係止ランス２６1 ，２６2 を端子２８の電気圧着部５４側の空間５５（図３）を利用して配置することができる（箱状の電気接触部２９に較べて電線圧着部５４側は高さが低いので端子収容室３２1 ，３２2 内で大きな空間を生じる）ので、二重係止コネクタ２４の高さ方向のコンパクト化が可能となる。しかも係止ランス２６1 ，２６2 の長さを従来よりも長く設定できるので、係止ランス２６1 ，２６2 のばね力や撓み量の設定の自由度が拡大する。
【００３７】
なお、上記各実施形態においては、内部に接触用のばね片５６（図５）を有する箱状の電気接触部（箱状部）２９を備えた雌型の端子２８と、端子２８を収容する雄型のコネクタハウジング２５とを用いた二重係止コネクタ２４の例を示したが、上記係止ランス２６1 ，２６2 とスペーサ２７とで端子２８の同一部分を係止する構造は、図示しない電気接触用のタブと、タブの後方に位置する箱状部（立体形状部）とを有する雄型の端子を雌型のコネクタハウジング内に収容する二重係止コネクタにおいても適用可能である。この場合も箱状部の後端（肩部）を係止ランスとスペーサとで係止することは言うまでもない。
【００３８】
【発明の効果】
以上の如く、請求項１記載の発明によれば、係止ランスとスペーサとで端子を係止する位置が一箇所で済むから、従来のように端子を二箇所で係止する場合に較べて、端子の係止部分の位置精度の累積誤差がなくなり、端子の二重係止が確実に行われるようになる。それに伴って、端子の完全挿入時における端子へのスペーサの突き当たりがなくなり、端子不完全挿入の誤検知が確実に防止される。また、係止ランスとスペーサとの各係止面の位置が同じであるから、万一、係止ランスで端子が係止されなかった場合は、スペーサでも係止されないこととなり、スペーサの不完全挿入により端子の係止不良が確実に検知される。また、係止ランスの係止突起とスペーサの係止突部とが端子の幅方向に並列に配置されたことで、係止構造がコンパクト化され、二重係止コネクタの小型化が可能となる。
【００３９】
また、請求項２記載の発明によれば、端子の係止部分が長手方向中間部の肩部であるから、従来の端子の係合孔に係止ランスを係合させる場合に較べて、係止ランスを簡単且つ確実に肩部に係合させることができ、且つスペーサを確実に係合させることができる。また、従来の端子の係合孔が不要であるから、端子の構造が簡素化され、製造コストが低減されると共に、端子の形状設定の自由度が拡大する。
【図面の簡単な説明】
【図１】本発明に係る二重係止コネクタの概念を示す縦断面図である。
【図２】同じく端子を二重係止する状態を示す斜視図である。
【図３】本発明に係る二重係止コネクタの具体的な実施形態を示す縦断面図である。
【図４】同じく係止ランスとスペーサの位置関係を示す図３のＡ−Ａ相当断面図である。
【図５】同じく端子の一次係止状態を示す図３の矢視Ｂ正面図である。
【図６】同じくスペーサの仮係止状態を示す縦断面図である。
【図７】二重係止コネクタにおける端子の二重係止状態を示す縦断面図である。
【図８】同じく端子の二次係止状態を示す図７の矢視Ｃ正面図である。
【図９】同じくスペーサの本係止状態を示す縦断面図である。
【図１０】コネクタハウジングを示す平面図（下面図）である。
【図１１】従来の二重係止コネクタを示す分解斜視図である。
【図１２】同じくコネクタハウジング内に端子を挿入する状態を示す縦断面図である。
【図１３】同じく端子を二重係止した状態を示す縦断面図である。
【符号の説明】
１，２４            二重係止コネクタ
２，２５            コネクタハウジング
４，２８            端子
６，２７            スペーサ
７，２６1 ，２６2   係止ランス
８，３９1 ，３９2   係止突起
９，３１1 ，３１2   係止突部
１１，３０          後端（肩部）
【図１】
0003702415.tif 000002
【図２】
0003702415.tif 000003
【図３】
0003702415.tif 000004
【図４】
0003702415.tif 000005
【図５】
0003702415.tif 000006
【図６】
0003702415.tif 000007
【図７】
0003702415.tif 000008
【図８】
0003702415.tif 000009
【図９】
0003702415.tif 000010
【図１０】
0003702415.tif 000011
【図１１】
0003702415.tif 000012
【図１２】
0003702415.tif 000013
【図１３】
0003702415.tif 000014